(57)【特許請求の範囲】
【請求項１】
秤量皿に載置された複数の計量対象物品の合計重量を表示する機能と前記計量対象物品の個数を表示する機能とを備える秤であって、
前記合計重量が表示される重量表示欄への表示を制御する重量表示制御部と、
前記個数が表示される個数表示欄への表示を制御する個数表示制御部と、
前記重量表示欄に風袋引きの重量の表示を指示する操作が行われる風袋引きキーと、
を有し、
前記重量表示制御部は、前記風袋引きキーが操作されると、前記重量表示欄に風袋引きの前記合計重量を表示し、
前記個数表示制御部は、前記風袋引きキーが操作されると、前記合計重量を基に前記計量対象物品の個数を算出して前記個数表示欄に表示する個数表示動作を開始し、前記個数表示欄に２以上の前記計量対象物品の個数が表示された後、前記合計重量から算出した前記計量対象物品の個数が１以下となったとき、前記個数表示動作を停止する、
ことを特徴とする秤。
【請求項２】
請求項１に記載の秤であって、前記個数表示制御部は、前記個数表示動作を行っていないとき、前記個数表示欄に個数を想起させない空白又は模様を表示することを特徴とする秤。
【請求項３】
秤量皿に載置された複数の計量対象物品の合計重量を表示する機能と前記計量対象物品の個数を表示する機能とを備える秤であって、
前記秤量皿に載置された物品の重量を計測する秤量部と、
前記合計重量が表示される重量表示欄への表示を制御する重量表示制御部と、
前記個数が表示される個数表示欄への表示を制御する個数表示制御部と、
前記重量表示欄に風袋引きの重量の表示を指示する操作が行われる風袋引きキーと、
を有し、
前記重量表示制御部は、前記風袋引きキーが操作されると、前記重量表示欄に風袋引きの前記合計重量を表示し、
前記個数表示制御部は、前記風袋引きキーが操作されると、前記合計重量を基に前記計量対象物品の個数を算出して前記個数表示欄に表示する個数表示動作を開始し、
前記個数表示制御部は、前記個数表示欄に２以上の前記計量対象物品の個数が表示された後、前記合計重量から算出した前記計量対象物品の個数が１以下となったときに前記個数表示動作を停止し、その後、前記秤量部の計測する重量が個数表示動作停止直前の値に戻ったとき、前記個数表示動作を再開する、ことを特徴とする秤。
【請求項４】
請求項３に記載の秤であって、前記個数表示制御部は、前記個数表示動作を停止したとき、一定時間に渡って前記個数表示欄に直近に表示した個数を表示し続け、前記一定時間内に前記秤量部の計測する重量が個数表示動作停止直前の値に戻ったとき、前記個数表示動作を再開する、ことを特徴とする秤。
【請求項５】
秤量皿に載置された複数の計量対象物品の合計重量を表示する機能と前記計量対象物品の個数を表示する機能とを備える秤であって、
前記秤量皿に載置された物品の重量を計測する秤量部と、
前記合計重量が表示される重量表示欄への表示を制御する重量表示制御部と、
前記個数が表示される個数表示欄への表示を制御する個数表示制御部と、
前記重量表示欄に風袋引きの重量の表示を指示する操作が行われる風袋引きキーと、
を有し、
前記重量表示制御部は、前記風袋引きキーが操作されると、前記重量表示欄に風袋引きの前記合計重量を表示し、
前記個数表示制御部は、前記風袋引きキーが操作されると、前記合計重量を基に前記計量対象物品の個数を算出して前記個数表示欄に表示する個数表示動作を開始し、
前記個数表示制御部は、前記個数表示欄に２以上の前記計量対象物品の個数が表示された後、前記合計重量から算出した前記計量対象物品の個数が１以下となったときに前記個数表示動作を停止し、その後、個数表示動作の再開を指示する指示キーが操作されたとき、前記個数表示動作を再開することを特徴とする秤。
【発明の詳細な説明】
【技術分野】
【０００１】
本発明は、秤量皿に載置された複数の同一物品を計量して、その合計重量と物品の個数とを表示する機能を備える秤に関し、物品を風袋と共に計量する際の表示を改善して個数の誤認が生じないようにしたものである。
【背景技術】
【０００２】
下記特許文献１には、計量した物品の個数を表示する個数表示機能を備えた秤が記載されている。
この秤は、図６に示すように、予め測定された計量対象物品の平均基準重量が表示される単量表示部９と、秤量皿４に載る複数の計量対象物品の合計重量が表示される重量表示部８と、その合計重量を平均基準重量で除して求めた物品の個数が表示される個数表示部７とを備えている。１０、１２、１３は機能ボタンである。
【０００３】
また、秤は、物品を容器等に入れて風袋とともに計量するとき、風袋の重量を差し引いた正味の重量（風袋引きの重量）を表示する機能を備えている。
図７は、従来の個数表示機能を備えた秤により計量対象物品を風袋とともに計量するときの表示の推移を示している。
【０００４】
図７（ａ）は、秤量皿に何も載っていない状態での秤の表示を示しており、単重表示部（単重欄）には、予め測定された計量対象物品の平均基準重量“１０．００ｇ”が表示され、重量表示部（重さ欄）には“０．００ｇ”、個数表示部（個数欄）には“０個”が表示されている。
図７（ｂ）は、風袋のみを秤量皿に載せてその重さを量っている状態を示しており、（重さ欄）には風袋の重さ“１００．００ｇ”が表示され、また、（個数欄）には、（重さ欄）の重量を（単重欄）の“１０．００ｇ”で除した値“１０個”が表示されている。
図７（ｃ）は、風袋引きの重量表示を行うために、秤の機能ボタンの一つである“風袋引きキー”を押したときの状態を示している。このとき、（重さ欄）の重量が“０．００ｇ”に変わり、それに伴い、（個数欄）に“０個”が表示される。
図７（ｄ）は、風袋の中に５個の計量対象物品を入れた状態での表示を示している。（重さ欄）には正味の計量対象物品の合計重量“５０．００ｇ”が表示され、（個数欄）には“５個”が表示される。
その後、計量対象物品を風袋ごと秤量皿から取り除くと、図７（ｅ）に示すように（重さ欄）には風袋の重さに相当する負の値“−１００．００ｇ”が表示され、（個数欄）には、（重さ欄）の重量を（単重欄）の“１０．００ｇ”で除した値“−１０個”が表示される。
【先行技術文献】
【特許文献】
【０００５】
【特許文献１】特開２００３−２５４８１７号公報
【発明の概要】
【発明が解決しようとする課題】
【０００６】
しかし、従来の個数表示機能を備えた秤の表示では、例えば、作業者が、図７（ｂ）の状態の後、“風袋引きキー”を押し忘れて容器中に５個の計量対象物品を入れると、（重さ欄）には“１５０．００ｇ”と表示され、（個数欄）には“１５個”と表示され、作業者はその誤りに気付かないことがある。また、図７（ｂ）の表示を見て、計量対象物品を計量していないのに、その個数を１０個と誤認するケースも考えられる。
また、図７（ｅ）に示すマイナスの個数の表示から秤の個数表示機能の故障を疑う作業者も存在する可能性がある。
【０００７】
本発明は、こうした事情を考慮して創案したものであり、個数表示機能を備える秤であって、物品を風袋と共に計量する際の個数の誤認を防止できる秤を提供することを目的としている。
【課題を解決するための手段】
【０００８】
本発明は、秤量皿に載置された複数の計量対象物品の合計重量を表示する機能と前記計量対象物品の個数を表示する機能とを備える秤であって、合計重量が表示される重量表示欄への表示を制御する重量表示制御部と、個数が表示される個数表示欄への表示を制御する個数表示制御部と、重量表示欄に風袋引きの重量の表示を指示する操作が行われる風袋引きキーと、を有し、重量表示制御部は、風袋引きキーが操作されると、重量表示欄に風袋引きの前記合計重量を表示し、個数表示制御部は、風袋引きキーが操作されると、合計重量を基に計量対象物品の個数を算出して個数表示欄に表示する個数表示動作を開始し、個数表示欄に２以上の計量対象物品の個数が表示された後、合計重量から算出した前記計量対象物品の個数が１以下となったとき、個数表示動作を停止する、ことを特徴とする。
この秤は、風袋引きキーが操作されなければ、個数表示がされないため、風袋引きキーの押し忘れによる個数の誤認が防止できる。また、個数表示欄に、２以上の個数が表示され、その後、合計重量から算出した個数が１以下になった場合は、個数が表示されないため、マイナスの個数が表示されることもない。
【０００９】
また、本発明の秤では、個数表示制御部は、個数表示動作を行っていないとき、個数表示欄に個数を想起させない空白や横バー等の模様を表示する。
そのため、作業者による個数の誤認が防止できる。
【００１０】
また、本発明の秤は、秤量皿に載置された物品の重量を計測する秤量部と、合計重量が表示される重量表示欄への表示を制御する重量表示制御部と、個数が表示される個数表示欄への表示を制御する個数表示制御部と、重量表示欄に風袋引きの重量の表示を指示する操作が行われる風袋引きキーと、を有し、重量表示制御部は、風袋引きキーが操作されると、重量表示欄に風袋引きの合計重量を表示し、個数表示制御部は、風袋引きキーが操作されると、合計重量を基に計量対象物品の個数を算出して個数表示欄に表示する個数表示動作を開始し、個数表示制御部は、個数表示欄に２以上の計量対象物品の個数が表示された後、合計重量から算出した計量対象物品の個数が１以下となったときに個数表示動作を停止し、その後、秤量部の計測する重量が個数表示動作停止直前の値に戻ったとき、個数表示動作を再開する、ことを特徴とする。
この秤を使用する現場では、計量対象物品を風袋ごと秤から外して風袋内の計量対象物品を均した後、計量を継続する場合がある。こうしたとき、風袋引きの設定作業を始めからやり直すのではなく、停止した個数表示動作を再開することで計量作業が効率化できる。
【００１１】
また、本発明の秤では、個数表示制御部は、個数表示動作を停止したとき、一定時間に渡って個数表示欄に直近に表示した個数を表示し続け、その一定時間内に秤量部の計測する重量が個数表示動作停止直前の値に戻ったとき、個数表示動作を再開する、ことを特徴とする。
この場合、個数表示欄に直近の個数の表示が続いている時間内に計量対象物品入りの風袋を秤に戻せば、個数表示動作が再開される。
【００１２】
また、本発明の秤は、秤量皿に載置された物品の重量を計測する秤量部と、合計重量が表示される重量表示欄への表示を制御する重量表示制御部と、個数が表示される個数表示欄への表示を制御する個数表示制御部と、重量表示欄に風袋引きの重量の表示を指示する操作が行われる風袋引きキーと、を有し、重量表示制御部は、風袋引きキーが操作されると、重量表示欄に風袋引きの合計重量を表示し、個数表示制御部は、風袋引きキーが操作されると、合計重量を基に計量対象物品の個数を算出して個数表示欄に表示する個数表示動作を開始し、個数表示制御部は、個数表示欄に２以上の計量対象物品の個数が表示された後、合計重量から算出した計量対象物品の個数が１以下となったときに個数表示動作を停止し、その後、個数表示動作の再開を指示する指示キーが操作されたとき、個数表示動作を再開することを特徴とする。
作業者が秤に設けられた指示キーを操作して作業者の意思を示したとき、個数表示動作が再開される。
【発明の効果】
【００１３】
本発明の秤は、物品を風袋と共に計量する際の個数の誤認を防止できる。
【図面の簡単な説明】
【００１４】
【図１】本発明の実施形態に係る個数表示機能を備える秤の構成を示すブロック図
【図２】図１の秤の単量表示部、重量表示部及び個数表示部の表示の推移を示す図
【図３】第１の実施形態に係る秤の処理手順を示すフロー図
【図４】第２の実施形態に係る秤の処理手順を示すフロー図
【図５】図４のフロー図の変形例を示す図
【図６】従来の個数表示機能を備える秤を示す図
【図７】従来の秤の単量表示部、重量表示部及び個数表示部の表示の推移を示す図
【発明を実施するための形態】
【００１５】
（第１の実施形態）
図１は、本発明の実施形態に係る個数表示機能を備える秤の構成を示すブロック図である。
この秤は、複数の計量対象物品２３が風袋２２に収容された状態で載置される秤量皿２１と、秤量皿２１に載った物品の重量を計測する秤量部２４と、秤量部２４で計測されたアナログデータをデジタルデータに変換するＡ／Ｄ変換部２５と、計量対象物品２３の平均重量を表示する単量表示部２９と、計量対象物品２３の合計重量を表示する重量表示部２８と、計量対象物品２３の個数を表示する個数表示部２７と、重量表示部２８に風袋引きの重量を表示させるときに操作される風袋引きキー２６１と、秤量皿２１に何も載せていない状態をゼロに設定するゼロ調整キー２６２と、所要の演算を行い、全体を制御するコンピュータから成る演算部３０と、演算部３０の演算作業に必要なデータ等を記憶する記憶部３３とを備えており、演算部３０は、個数表示部２７の表示を制御する個数表示制御部３１と、重量表示部２８の表示を制御する重量表示制御部３２とを有している。
なお、個数表示制御部３１及び重量表示制御部３２は、演算部３０を構成するコンピュータがプログラムで規定された処理を実行することにより実現される。
【００１６】
図２は、この秤で計量対象物品２３を風袋２２とともに計量するときの単量表示部２９、重量表示部２８及び個数表示部２７の表示の推移を示している。
図２（ａ）は、秤量皿２１に何も載っていない状態でゼロ調整キー２６２を押したときの秤の表示を示している。単重表示部２９には、予め測定された計量対象物品の平均基準重量“１０．００ｇ”が表示される。単量表示部２９の表示は、各段階で変わりがない。
重量表示部２８には“０．００ｇ”が表示され、個数表示部２７の表示はブランクである。
図２（ｂ）は、風袋のみを秤量皿に載せてその重さを量っている状態を示しており、重量表示部２８には風袋の重さ“１００．００ｇ”が表示される。個数表示部２７の表示はブランクのままである。
図２（ｃ）は、風袋引きの重量表示を行うために、作業者が風袋引きキー２６１を押したときの状態を示している。このとき、重量表示部２８の重量が“０．００ｇ”に変わり、個数表示部２７には、重量表示部２８の重量を単量表示部２９の平均基準重量で除した値“０個”が始めて表示される。
図２（ｄ）は、風袋２２の中に５個の計量対象物品２３を入れたときの表示を示している。重量表示部２８には風袋引きの計量対象物品２３の合計重量“５０．００ｇ”が表示され、個数表示部２７には“５個”が表示される。
図２（ｅ）は、秤量皿２１の上の計量対象物品２３を風袋２２と共に外した時の表示を示している。重量表示部２８には風袋２２の重さに相当する負の値“−１００．００ｇ”が表示され、重量表示部２８の表示はブランクである。
【００１７】
図３のフロー図は、この表示を制御する個数表示制御部３１及び重量表示制御部３２の処理手順を示している。
図２（ｂ）に示すように、重量表示制御部３２は、秤量部２４で計測された計測重量を重量表示部２８に表示し（ステップ１）、個数表示制御部３１は、個数表示部２７の表示をブランクにする（ステップ２）。
図２（ｂ）に示すように、風袋２２のみを秤に載せて、作業者が風袋引きキー２６１を押すと（ステップ３）、重量表示制御部３２は、それ以降、図２（ｃ）、図２（ｄ）に示すように、秤量部２４で計測された計測重量から風袋分の重量を引いた風袋引き重量を重量表示部２８に表示する（ステップ４）。
個数表示制御部３１は、風袋引きキー２６１が押されると、図２（ｃ）、図２（ｄ）に示すように、重量表示部２８に表示された重量を単量表示部２９に表示された平均基準重量で除して計量対象物品２３の個数を求め、その個数を個数表示部２７に表示する個数表示動作を開始する（ステップ５）。
個数表示部２７に２個以上の個数が表示され（ステップ６）、その後、重量表示部２８に表示された重量を平均基準重量で除した個数が１以下に低下した場合は（ステップ７でＹｅｓ）、個数表示制御部３１は、個数表示動作を停止して個数表示部２７の表示をブランクにする（ステップ８）。
【００１８】
個数が１以下に低下する事態は、秤量皿２１の上の風袋２２から計量対象物品２３を一つずつ除いて行き、計量対象物品２３が１以下になる場合や、計量対象物品２３を風袋２２ごと秤量皿２１の上から取り除く場合に生じる。図２（ｅ）は、後者の場合を示している。
個数表示部２７にブランクが表示された後、さらに計量作業を続ける場合は、ステップ３に戻り、風袋２２のみを秤に載せて風袋引きキー２６１を押す。その後、ステップ４〜ステップ８の手順が繰り返される。
【００１９】
このように、この秤では、個数表示部２７への個数の表示は、風袋引きキー２６１が操作されると始まり、個数が１以下に低下すると終了する。そのため、作業者が風袋引きキー２６１の操作を忘れると、個数が表示されないので、作業者が個数を誤認する虞がない。
また、マイナスの個数が表示されることもないため、作業者が秤の個数表示機能に疑念を抱く虞もない。
【００２０】
（第２の実施形態）
この秤を使用する現場では、計量対象物が風袋内に片寄った状態で収容され、それに起因する測定精度の低下を避けるために、計量の途中で、計量対象物品を風袋ごと秤から外して風袋内の計量対象物品を均一化し、その後、計量対象物品を収めた風袋を秤に戻して計量を再開する場面が想定される。
そうしたとき、第１の実施形態の秤では、計量対象物品を風袋ごと秤から外した時点で個数表示部２７の表示がブランクになるため、計量を再開するには、作業者は、風袋２２のみを秤に載せて風袋引きキー２６１を操作するステップ３からの処理が必要になる。
【００２１】
第２の実施形態では、こうした点を改善した秤について説明する。
この秤の構成は、図１に示すものと変わりがない。
図４のフロー図は、この秤の個数表示制御部３１及び重量表示制御部３２の処理手順を示している。
図４において、ステップ１〜ステップ６、ステップ８、ステップ９の手順は、図３の場合と変わりがない。
個数表示制御部３１は、秤量部２４の計測重量データから、個数が１以下となる事態が、計量対象物品２３を風袋２２ごと秤量皿２１から取り外したために生じていると認識すると（ステップ７１でＹｅｓ）、重量表示部２８に表示された重量と平均基準重量とから計量対象物品２３の個数を求める個数表示動作を停止して、個数表示部２７に直近に表示した個数の表示を続ける（ステップ７２）。
【００２２】
個数表示制御部３１は、秤量部２４の計測重量データから、一定時間内に（ステップ７３でＮｏ）、取り外した計量対象物品２３及び風袋２２が秤量皿２１に戻されたことを認識すると（ステップ７４でＹｅｓ）、ステップ５に移行して個数表示動作を再開する。
ステップ７２の表示を開始してから、個数表示動作を再開することなく一定時間が経過したときは（ステップ７３でＹｅｓ）、ステップ８に移行し、個数表示部２７の表示をブランクにする。
【００２３】
このように、この秤では、計量対象物品２３を収めた風袋２２を秤から取り外しても、個数表示欄２７に直近の個数が表示されている時間内にそれを秤に戻せば、個数表示動作が自動的に再開される。そのため、風袋２２のみを秤に載せて風袋引きキー２６１を押す作業を改めて行う必要がない。
【００２４】
また、図５に示すフロー図は、さらに一部の動作を改めた秤の処理手順を示している。
この秤の構成は、図１に示すものと変わりがない。
図５において、ステップ１〜ステップ６、ステップ８、ステップ９の手順は、図３の場合と変わりがない。また、ステップ７１は、図４の場合と変わりがない。
個数表示制御部３１は、秤量部２４の計測重量データから、個数が１以下となる事態が、計量対象物品２３を風袋２２ごと秤量皿２１から取り外したために生じていると認識すると（ステップ７１でＹｅｓ）、個数表示動作を停止して個数表示部２７の表示をブランクにする（ステップ８）
【００２５】
個数表示制御部３１は、秤量部２４の計測重量データから、秤量皿２１に荷重が載せられたことを認識すると、その計測重量データと、記憶部３３に記憶されている秤量皿２１から取り外された計量対象物品２３及び風袋２２の計測重量データとを比較して、取り外した計量対象物品２３及び風袋２２が秤量皿２１に戻されたか否かを識別する（ステップ８１）。計量対象物品２３及び風袋２２が秤量皿２１に戻された場合は（ステップ８１でＹｅｓ）、ステップ５に移行し、個数表示制御部３１は個数表示動作を再開する。
また、ステップ８１で計測重量データの比較結果が一致しない場合は、ステップ９に移行する。この場合、計量を再開するには、風袋２２のみを秤に載せて風袋引きキー２６１を操作するステップ３からの処理が必要になる。
【００２６】
このように、この秤では、計量対象物品２３を収めた風袋２２を秤から取り外しても、取り外したものを秤に戻せば、個数表示動作が自動的に再開される。そのため、風袋引きの設定作業をやり直す必要がない。
なお、図４や図５の手順において、個数表示制御部３１が個数表示動作を再開する条件として、作業者が秤に設けた指示キーを押すことを加えても良い。そうすることで、個数表示動作を再開する秤の状態を作業者が正しく認識することができる。
なお、ここでは、個数表示欄に２個以上の個数が表示された後、算出した計量対象物品の個数が１以下になったとき、個数表示欄の表示をブランクにしているが、この個数は計量対象物品の種類等に応じて適宜決めることができる。
また、このときの個数表示欄の表示は、作業者に個数を想起させないような表示であれば、どのようなものでも良い。
【産業上の利用可能性】
【００２７】
本発明の個数表示機能を備える秤は、物品を風袋と共に計量する際の個数の誤認を防止して、効率的な計量作業を可能にするものであり、計量対象物品の個数の計測を必要とする各種分野で広く利用することができる。
【符号の説明】
【００２８】
２１  秤量皿
２２  風袋
２３  計量対象物品
２４  秤量部
２５  Ａ／Ｄ変換部
２６１  風袋引きキー
２６２  ゼロ調整キー
２７  個数表示部
２８  重量表示部
２９  単量表示部
３０  演算部
３１  個数表示制御部
３２  重量表示制御部
３３  記憶部
【図１】
0006654454.tif 000002
【図２】
0006654454.tif 000003
【図３】
0006654454.tif 000004
【図４】
0006654454.tif 000005
【図５】
0006654454.tif 000006
【図６】
0006654454.tif 000007
【図７】
0006654454.tif 000008